(57)【要約】    【課題】  ユーザがセキュリティのかかったホームページにおいて安全に処理を行うことを可能にする携帯通信装置のバッテリ残量警告表示装置を提供する。    【解決手段】  バッテリ残量警告表示装置１０において、セキュリティレベル判別手段１がアクセスページのセキュリティレベルを判別し、バッテリ電圧検出手段２が携帯通信装置のバッテリ電圧を検出する。ローバッテリ電圧設定手段３が判別されたアクセスページのセキュリティレベルと使用している通信手段とから、予め設定されているローバッテリ電圧設定テーブルに基づいてローバッテリ電圧を設定する。バッテリ残量判断手段４がこの設定されたローバッテリ電圧とバッテリ電圧とを比較してバッテリ残量状態を判断する。そして、バッテリ残量がローバッテリ電圧より低いローバッテリ状態である場合、ローバッテリ警告表示手段５がローバッテリ状態である旨を警告するローバッテリ警告を表示装置に表示する。【選択図】      図７
2007011863.tif 000002
【特許請求の範囲】
【請求項１】
携帯通信装置のバッテリ残量警告表示装置であって、
接続中のホームページのセキュリティレベルを判別するセキュリティレベル判別手段と、
前記携帯通信装置の電源バッテリの電圧を検出するバッテリ電圧検出手段と、
前記セキュリティレベル判別手段によって判別されたセキュリティレベルに基づいてローバッテリ電圧を設定するローバッテリ電圧設定手段と、
前記ローバッテリ電圧設定手段よって設定されたローバッテリ電圧と前記バッテリ電圧検出手段によって検出された前記電源バッテリの電圧を比較して前記電源バッテリの残量状態を判断するバッテリ残量判断手段と、
前記バッテリ残量判断手段による前記電源バッテリの残量状態の判断結果に応じてバッテリ残量警告を前記携帯通信装置の表示装置に表示する警告表示手段とを備えることを特徴とするバッテリ残量警告表示装置。
【請求項２】
前記携帯通信装置の通信手段を判別する通信手段判別手段と、
前記通信手段判別手段によって判別された通信手段の判別結果に基づいて前記携帯通信装置の通信時に消費する消費電流量を算出する消費電流量算出手段と、
前記消費電流量算出手段によって算出された消費電流量と、前記設定されたローバッテリ電圧と、前記検出された前記電源バッテリの電圧から前記電源バッテリが前記設定されたローバッテリ電圧になるまでの前記携帯通信装置の通信可能時間を算出する通信可能時間算出手段と、
前記通信可能時間算出手段によって算出された通信可能時間を前記表示装置に表示する通信可能時間表示手段とを更に備えることを特徴とする請求項１記載のバッテリ残量警告表示装置。
【請求項３】
前記判別されたセキュリティレベルに基づいて前記表示装置のバックライトの輝度を調整する輝度調整手段を更に備えることを特徴とする請求項１又は２記載のバッテリ残量警告表示装置。
【請求項４】
携帯通信装置のバッテリ残量警告表示方法であって、
接続中のホームページのセキュリティレベルを判別するセキュリティレベル判別ステップと、
前記携帯通信装置の電源バッテリの電圧を検出するバッテリ電圧検出ステップと、
前記セキュリティレベル判別ステップによって判別されたセキュリティレベルに基づいてローバッテリ電圧を設定するローバッテリ電圧設定ステップと、
前記ローバッテリ電圧設定ステップよって設定されたローバッテリ電圧と前記バッテリ電圧検出ステップによって検出された前記電源バッテリの電圧を比較して前記電源バッテリの残量状態を判断するバッテリ残量判断ステップと、
前記バッテリ残量判断ステップによる前記電源バッテリの残量状態の判断結果に応じてバッテリ残量警告を前記携帯通信装置の表示装置に表示する警告表示ステップとを備えることを特徴とするバッテリ残量警告表示方法。
【請求項５】
携帯通信装置のバッテリ残量警告表示方法をコンピュータに実行させるプログラムであって、
接続中のホームページのセキュリティレベルを判別するセキュリティレベル判別モジュールと、
前記携帯通信装置の電源バッテリの電圧を検出するバッテリ電圧検出モジュールと、
前記セキュリティレベル判別モジュールによって判別されたセキュリティレベルに基づいてローバッテリ電圧を設定するローバッテリ電圧設定モジュールと、
前記ローバッテリ電圧設定モジュールよって設定されたローバッテリ電圧と前記バッテリ電圧検出モジュールによって検出された前記電源バッテリの電圧を比較して前記電源バッテリの残量状態を判断するバッテリ残量判断モジュールと、
前記バッテリ残量判断モジュールによる前記電源バッテリの残量状態の判断結果に応じてバッテリ残量警告を前記携帯通信装置の表示装置に表示する警告表示モジュールとを備えることを特徴とするプログラム。
【請求項６】
携帯通信装置のバッテリ残量警告表示方法をコンピュータに実行させるプログラムを格納するコンピュータ読み取り可能な記憶媒体であって、前記プログラムが、
接続中のホームページのセキュリティレベルを判別するセキュリティレベル判別モジュールと、
前記携帯通信装置の電源バッテリの電圧を検出するバッテリ電圧検出モジュールと、
前記セキュリティレベル判別モジュールによって判別されたセキュリティレベルに基づいてローバッテリ電圧を設定するローバッテリ電圧設定モジュールと、
前記ローバッテリ電圧設定モジュールよって設定されたローバッテリ電圧と前記バッテリ電圧検出モジュールによって検出された前記電源バッテリの電圧を比較して前記電源バッテリの残量状態を判断するバッテリ残量判断モジュールと、
前記バッテリ残量判断モジュールによる前記電源バッテリの残量状態の判断結果に応じてバッテリ残量警告を前記携帯通信装置の表示装置に表示する警告表示モジュールとを備えるプログラムであることを特徴とする記憶媒体。
【発明の詳細な説明】
【技術分野】
【０００１】
本発明は、携帯通信装置のバッテリ残量警告表示装置、バッテリ残量警告表示方法、プログラム、及び記憶媒体に関し、特に、バッテリ駆動の携帯通信装置のバッテリ残量警告表示装置に関する。
【背景技術】
【０００２】
従来、携帯電話等の携帯通信装置は、バッテリ駆動時において、バッテリ電圧を検出し、バッテリ電圧が所定のローバッテリ電圧レベルになった場合に、バッテリ残量が少ない等の警告をするためのローバッテリ警告表示を行ったり、装置の電源をオフにしたりしている（例えば、特許文献１参照）。
【０００３】
また、従来の携帯通信装置としては、インターネット上におけるユーザのセキュリティを守るためにデータ通信を暗号化するものや（例えば、特許文献２参照）、通信の認証時における情報漏洩を防止するために認証システムに工夫がなされているものがある（例えば、特許文献３参照）。
【特許文献１】特開２０００−０４７３０７号公報
【特許文献２】特開平１１−２７２６１５号公報
【特許文献３】特開２００１−１３４５３４号公報
【発明の開示】
【発明が解決しようとする課題】
【０００４】
しかしながら、上記従来の携帯通信装置においては、例えば電源バッテリで駆動されている場合において、通信カードを使用してインターネットと接続してセキュリティのかかったホームページにアクセスしているとき、例えば、ネットショップでの商品の購入や、ネットバンクにおける振込みをしているときに、処理途中でローバッテリ警告表示が出て、通信途中で装置の電源がオフされてしまうようなことがあった。
【０００５】
このように、従来の携帯通信装置は、電源バッテリで駆動されている場合に、ユーザがセキュリティのかかったホームページにおいて安全に処理を行うことができないという問題があった。
【０００６】
また、セキュリティのかかったホームページへのアクセス中に、覗き見等により付近にいる第三者によって不正に表示内容を読み取られるという問題がある。
【０００７】
従って、ユーザは、従来の携帯通信装置を用いて、セキュリティのかかったホームページにおいて安全に処理を行うことができなかった。
【０００８】
本発明の目的は、ユーザがセキュリティのかかったホームページにおいて安全に処理を行うことを可能にする携帯通信装置のバッテリ残量警告表示装置、バッテリ残量警告表示方法、プログラム、及び記憶媒体を提供することにある。
【課題を解決するための手段】
【０００９】
上記目的を達成するために、請求項１記載のバッテリ残量警告表示装置は、携帯通信装置のバッテリ残量警告表示装置であって、接続中のホームページのセキュリティレベルを判別するセキュリティレベル判別手段と、前記携帯通信装置の電源バッテリの電圧を検出するバッテリ電圧検出手段と、前記セキュリティレベル判別手段によって判別されたセキュリティレベルに基づいてローバッテリ電圧を設定するローバッテリ電圧設定手段と、前記ローバッテリ電圧設定手段よって設定されたローバッテリ電圧と前記バッテリ電圧検出手段によって検出された前記電源バッテリの電圧を比較して前記電源バッテリの残量状態を判断するバッテリ残量判断手段と、前記バッテリ残量判断手段による前記電源バッテリの残量状態の判断結果に応じてバッテリ残量警告を前記携帯通信装置の表示装置に表示する警告表示手段とを備えることを特徴とする。
【００１０】
請求項２記載のバッテリ残量警告表示装置は、請求項１記載のバッテリ残量警告表示装置において、前記携帯通信装置の通信手段を判別する通信手段判別手段と、前記通信手段判別手段によって判別された通信手段の判別結果に基づいて前記携帯通信装置の通信時に消費する消費電流量を算出する消費電流量算出手段と、前記消費電流量算出手段によって算出された消費電流量と、前記設定されたローバッテリ電圧と、前記検出された前記電源バッテリの電圧から前記電源バッテリが前記設定されたローバッテリ電圧になるまでの前記携帯通信装置の通信可能時間を算出する通信可能時間算出手段と、前記通信可能時間算出手段によって算出された通信可能時間を前記表示装置に表示する通信可能時間表示手段とを更に備えることを特徴とする。
【００１１】
請求項３記載のバッテリ残量警告表示装置は、請求項１又は２記載のバッテリ残量警告表示装置において、前記判別されたセキュリティレベルに基づいて前記表示装置のバックライトの輝度を調整する輝度調整手段を更に備えることを特徴とする。
【００１２】
請求項４記載のバッテリ残量警告表示方法は、携帯通信装置のバッテリ残量警告表示方法であって、接続中のホームページのセキュリティレベルを判別するセキュリティレベル判別ステップと、前記携帯通信装置の電源バッテリの電圧を検出するバッテリ電圧検出ステップと、前記セキュリティレベル判別ステップによって判別されたセキュリティレベルに基づいてローバッテリ電圧を設定するローバッテリ電圧設定ステップと、前記ローバッテリ電圧設定ステップよって設定されたローバッテリ電圧と前記バッテリ電圧検出ステップによって検出された前記電源バッテリの電圧を比較して前記電源バッテリの残量状態を判断するバッテリ残量判断ステップと、前記バッテリ残量判断ステップによる前記電源バッテリの残量状態の判断結果に応じてバッテリ残量警告を前記携帯通信装置の表示装置に表示する警告表示ステップとを備えることを特徴とする。
【００１３】
請求項５記載のプログラムは、携帯通信装置のバッテリ残量警告表示方法をコンピュータに実行させるプログラムであって、接続中のホームページのセキュリティレベルを判別するセキュリティレベル判別モジュールと、前記携帯通信装置の電源バッテリの電圧を検出するバッテリ電圧検出モジュールと、前記セキュリティレベル判別モジュールによって判別されたセキュリティレベルに基づいてローバッテリ電圧を設定するローバッテリ電圧設定モジュールと、前記ローバッテリ電圧設定モジュールよって設定されたローバッテリ電圧と前記バッテリ電圧検出モジュールによって検出された前記電源バッテリの電圧を比較して前記電源バッテリの残量状態を判断するバッテリ残量判断モジュールと、前記バッテリ残量判断モジュールによる前記電源バッテリの残量状態の判断結果に応じてバッテリ残量警告を前記携帯通信装置の表示装置に表示する警告表示モジュールとを備えることを特徴とする。
【００１４】
請求項６記載の記憶媒体は、携帯通信装置のバッテリ残量警告表示方法をコンピュータに実行させるプログラムを格納するコンピュータ読み取り可能な記憶媒体であって、前記プログラムが、接続中のホームページのセキュリティレベルを判別するセキュリティレベル判別モジュールと、前記携帯通信装置の電源バッテリの電圧を検出するバッテリ電圧検出モジュールと、前記セキュリティレベル判別モジュールによって判別されたセキュリティレベルに基づいてローバッテリ電圧を設定するローバッテリ電圧設定モジュールと、前記ローバッテリ電圧設定モジュールよって設定されたローバッテリ電圧と前記バッテリ電圧検出モジュールによって検出された前記電源バッテリの電圧を比較して前記電源バッテリの残量状態を判断するバッテリ残量判断モジュールと、前記バッテリ残量判断モジュールによる前記電源バッテリの残量状態の判断結果に応じてバッテリ残量警告を前記携帯通信装置の表示装置に表示する警告表示モジュールとを備えることを特徴とする。
【発明の効果】
【００１５】
請求項１記載のバッテリ残量警告表示装置、請求項４記載のバッテリ残量警告表示方法、請求項５記載のプログラム、及び請求項６記載の記憶媒体によれば、接続中のホームページのセキュリティレベルが判別され、携帯通信装置の電源バッテリの電圧が検出され、判別されたセキュリティレベルに基づいてローバッテリ電圧が設定される。次いで、この設定されたローバッテリ電圧と検出された電源バッテリの電圧が比較されて電源バッテリの残量状態が判断される。そして、この電源バッテリの残量状態の判断結果に応じてバッテリ残量警告が携帯通信装置の表示装置に表示される。このように、接続中のホームページのセキュリティレベルに応じてローバッテリ電圧が設定され、このローバッテリ電圧と電源バッテリの検出電圧に応じてバッテリ残量警告表示がなされる。このため、携帯通信装置がセキュリティのかかったホームページにアクセスする場合において、このホームページにおける処理を行うための充分な電圧を残した状態でローバッテリ警告表示を行うことができ、通信途中で装置の電源がオフされる等の事故の発生を防止することができる。従って、ユーザがセキュリティのかかったホームページにおいて安全に処理を行うことを可能にすることができる。
【００１６】
請求項２記載のローバッテリ警告表示装置によれば、携帯通信装置の通信手段が判別され、この判別結果に基づいて携帯通信装置の通信時に消費する消費電流量が算出される。次いで、この算出された消費電流量と、設定されたローバッテリ電圧と、検出された電源バッテリの電圧から、電源バッテリが上記ローバッテリ電圧になるまでの携帯通信装置の通信可能時間が算出される。そして、この算出された通信可能時間が表示装置に表示される。このため、ユーザは、携帯通信装置の通信手段に応じて、ローバッテリ電圧になるまでの携帯通信装置の通信可能時間を知ることができ、より正確な電源バッテリの残量状況を知ることができる。従って、ユーザがセキュリティのかかったホームページにおいてより安全に処理を行うことを可能にすることができる。
【００１７】
請求項３記載のバッテリ残量警告表示装置によれば、判別されたセキュリティレベルに基づいて表示装置のバックライトの輝度が調整される。このため、例えば、セキュリティのかかったホームページへのアクセス中は表示装置のバックライトを消すことができ、表示内容が第三者から見づらくなるようにバックライトの輝度を調整することができる。従って、ユーザがセキュリティのかかったホームページにおいてさらに安全に処理を行うことを可能にすることができる。
【発明を実施するための最良の形態】
【００１８】
以下、本発明の実施の形態について図面を参照しながら説明する。
【００１９】
図１は、本発明の第１の実施の形態に係る携帯通信装置のバッテリ残量警告表示装置の概略構成を示すブロック図である。
【００２０】
図１に示すように、本実施の形態に係るバッテリ残量警告表示装置１０は、インターネット上におけるホームページのセキュリティレベルを判別するセキュリティレベル判別手段１と、携帯電話や携帯端末等の携帯通信装置本体が備える電源バッテリ（不図示）のバッテリ電圧を検出するバッテリ電圧検出手段２と、セキュリティレベル判別手段１からの情報に基づいてローバッテリ電圧の設定を行うローバッテリ電圧設定手段３とを備える。ローバッテリ電圧設定手段３は、後述する図２のローバッテリ電圧設定テーブルを用いてローバッテリ電圧を設定する。
【００２１】
また、バッテリ残量警告表示装置１０は、バッテリ電圧検出手段２とローバッテリ電圧設定手段３からのデータに基づいてから電源バッテリのバッテリ残量を判断するバッテリ残量判断手段４と、バッテリ残量判断手段４によるバッテリ残量の判断結果に応じて携帯通信装置の本体が備える液晶ディスプレイ等の表示装置（不図示）にローバッテリ警告表示を行うローバッテリ警告表示手段５とを備える。ローバッテリ警告表示手段５は、後述するように、バッテリ残量判断手段４からローバッテリ状態である旨の情報を受信した場合に表示装置にローバッテリ警告表示を行う。
【００２２】
バッテリ残量警告表示装置１０は、さらに、通信手段判別手段６と、通信可能時間算出手段７と、通信可能時間表示手段８とを備える。
【００２３】
通信手段判別手段６は、携帯通信装置にセットされている通信カードの種類を判別する。通信カードは、携帯通信装置が外部装置と通信を行うための通信手段であり、例えば、無線ＬＡＮカード、有線ＬＡＮカード、及びＰＨＳカードがある。
【００２４】
通信可能時間算出手段７は、バッテリ電圧検出手段２によって検出された電源バッテリのバッテリ電圧と、ローバッテリ電圧設定手段３によって設定されたローバッテリ電圧と、通信手段判別手段６によって判別される通信カードの種類とに基づいて携帯通信装置の通信可能時間を算出する。算出される通信可能時間は、検出されたバッテリ電圧に対応するバッテリ残量によって携帯通信装置が外部装置と通信することが可能な現時点からの時間である。
【００２５】
通信可能時間表示手段８は、通信可能時間算出手段７によって算出された通信可能時間を上記ローバッテリ警告表示において表示する。
【００２６】
上記構成を有するバッテリ残量警告表示装置１０において、携帯通信装置がインターネットに接続すると、セキュリティレベル判別手段１がアクセスしたホームページのセキュリティレベルを判別する。次いで、ローバッテリ電圧設定手段３が、ローバッテリ電圧設定テーブル（図２）を用いて、検出されたセキュリティレベルと通信手段判別手段６からの通信カードの種類を示す通信手段情報とに応じて携帯通信装置のローバッテリ電圧を設定し、バッテリ残量判断手段４が、バッテリ電圧検出手段２の検出したバッテリ電圧と上記設定されたローバッテリ電圧とを比較する。
【００２７】
バッテリ残量判断手段４の比較の結果、バッテリ電圧がローバッテリ電圧より低くなった場合、ローバッテリ警告表示手段５が表示装置に所定のローバッテリ警告を表示することにより、表示画面を介してユーザにローバッテリ状態である旨の警告をする。ここで、ローバッテリ状態とは、バッテリ電圧がローバッテリ電圧より低い状態である。
【００２８】
次いで、通信可能時間算出手段７が、通信手段判別手段６から通信手段情報を受信し、この通信手段情報と、図４で後述する通信手段と消費電流量との関係を示すテーブルと、バッテリ電圧検出手段２により検出されたバッテリ電圧と、ローバッテリ電圧設定手段３により設定されたローバッテリ電圧とから通信可能時間を算出する。そして、この算出された通信可能時間を通信可能時間表示手段８がローバッテリ警告表示において表示する。
【００２９】
図２は、図１におけるローバッテリ電圧設定手段３の備えるローバッテリ設定テーブルの一例を示す図である。
【００３０】
図２に示すように、ローバッテリ電圧設定テーブルは、インターネットにおいてアクセスするホームページのセキュリティレベルに応じて設定されたローバッテリ電圧を示すテーブルである。ローバッテリ電圧は、ローバッテリ状態の閾値を表わす。図２に示すように、ローバッテリ電圧設定テーブルにおいて、セキュリティレベルとしては通常レベル、セキュリティレベル中、及びセキュリティレベル大が設定されており、また、ローバッテリ電圧レベルとしては、ローバッテリ１電圧レベル、ローバッテリ２電圧レベル、及び強制オフ電圧レベルが設定されている。
【００３１】
ローバッテリ１電圧レベルは、一番緊急度の低い、つまりバッテリ残量にまだ余裕がある状態におけるローバッテリ警告用のローバッテリ電圧を示す。ローバッテリ２電圧レベルは、ローバッテリ１電圧レベルより装置にとっては緊急度の高い、つまりバッテリ残量にあまり余裕がない状態でのローバッテリ警告用のローバッテリ電圧を示す。強制オフ電圧レベルは、非常にバッテリ電圧が低く、装置を動作させることがこれ以上できないと判断する状態のローバッテリ電圧を示す。携帯通信装置は、電源バッテリがこの強制オフ電圧レベルになった場合、無条件で電源をオフする。
【００３２】
通常レベルは、通常のホームページへのアクセス、即ちセキュリティ保護されていないホームページへのアクセスを示す。セキュリティレベル中は、セキュリティレベルが中間程度のホームページ、具体的には、認証鍵として４０bit暗号化データを使用しているセキュリティレベルのホームページへのアクセスを示す。セキュリティレベル大は、セキュリティレベルが最高の、具体的には、認証鍵として１２８bit暗号化データを使用してセキュリティレベルのホームページへのアクセスを示す。
【００３３】
ここで、セキュリティのかかったホームページにアクセスしている場合は、ホームページのＷＥＢサーバ側と携帯通信装置であるクライアント側とでデータのやりとりをする際にデータを暗号化しているが、認証鍵とは、この暗号化データの解読に使用する鍵である。ホームページは、認証鍵のbit数が多いほどセキュリティが強く、セキュリティレベルが高い通信をおこなうことができる。これについては図６で再度述べる。
【００３４】
図２に示すように、ローバッテリ電圧設定テーブルにおいは、ローバッテリ１電圧レベル、ローバッテリ２電圧レベル、及び強制オフ電圧レベルの各ローバッテリ電圧が、通常レベルのホームページへのアクセス、セキュリティレベル中のホームページへのアクセス、及びセキュリティレベル大のホームページへのアクセスの順に高くなるように設定されている。つまり、セキュリティレベルが高いほど各ローバッテリ電圧レベルが高い値に設定されている。このため、セキュリティレベルの高いホームページへのアクセスにおいては、携帯通信装置のバッテリ残量が充分に高いレベルで安全に通信が行われるようになっている。
【００３５】
図３は、携帯通信装置においてインターネット通信時にバッテリ電圧が減っていく様子を表したバッテリ電圧の放電曲線を示す図である。また、図３は、ホームページのセキュリティレベルの違いによるローバッテリ電圧の関係を示した図である。
【００３６】
図３において、横軸は携帯通信装置の使用時間を示し、縦軸はバッテリ電圧（バッテリ残量）を示し、携帯通信装置の使用時間に対応するバッテリ電圧をバッテリ放電曲線３１が示している。尚、携帯通信装置の使用時間は、電源バッテリのバッテリ電圧が電源バッテリの全容量を満たしているときを基準としている。
【００３７】
図３において、ＬＯＷＢＡＴ１ａは、セキュリティレベル大のホームページにアクセスしたときのローバッテリ電圧であり、図２のローバッテリ電圧設定テーブルにおけるセキュリティレベル大に対するローバッテリ１電圧レベルに対応する。セキュリティレベル大のホームページにアクセスしたときにＬＯＷＢＡＴ１ａまでバッテリ電圧が下がった時の使用時間はＴ１である。
【００３８】
ＬＯＷＢＡＴ１ｂは、セキュリティレベル中のホームページにアクセスしたときのローバッテリ電圧であり、図２のローバッテリ電圧設定テーブルにおけるセキュリティレベル中に対するローバッテリ１電圧レベルに対応する。セキュリティレベル中のホームページにアクセスしたときにＬＯＷＢＡＴ１ｂまでバッテリ電圧が下がった時の使用時間はＴ２である。
【００３９】
ＬＯＷＢＡＴ１ｃは、セキュリティのかかっているセキュリティページではない通常のホームページにアクセスしたときのローバッテリ電圧であり、図２のローバッテリ電圧設定テーブルにおける通常レベルに対するローバッテリ１電圧レベルに対応する。通常レベルのホームページにアクセスしたときにＬＯＷＢＡＴ１ｃまでバッテリ電圧が下がった時の使用時間はＴ３である。
【００４０】
ＬＯＷＢＡＴ２ａは、セキュリティレベル大のホームページにアクセスしたときのＬＯＷＢＡＴ１ａより緊急度が高いローバッテリ電圧であり、図２のローバッテリ電圧設定テーブルにおけるセキュリティレベル大に対するローバッテリ２電圧レベルに対応する。セキュリティレベル大のホームページにアクセスしたときにＬＯＷＢＡＴ２ａまでバッテリ電圧が下がった時の使用時間はＴ４である。
【００４１】
ＬＯＷＢＡＴ２ｂは、セキュリティレベル中のホームページにアクセスしたときのＬＯＷＢＡＴ１ｂより緊急度が高いローバッテリ電圧であり、図２のローバッテリ電圧設定テーブルにおけるセキュリティレベル中に対するローバッテリ２電圧レベルに対応する。セキュリティレベル中のホームページにアクセスしたときにＬＯＷＢＡＴ２ｂまでバッテリ電圧が下がった時の使用時間はＴ５である。
【００４２】
ＬＯＷＢＡＴ２ｃは、セキュリティページではない通常のホームページにアクセスしたときのＬＯＷＢＡＴ１ｃより緊急度が高いローバッテリ電圧であり、図２のローバッテリ電圧設定テーブルにおける通常レベルに対するローバッテリ２電圧レベルに対応する。通常レベルのホームページにアクセスしたときにＬＯＷＢＡＴ２ｃまでバッテリ電圧が下がった時の使用時間はＴ６である。
【００４３】
このように、セキュリティレベルの高いホームページにアクセスしているときほどローバッテリ電圧を高く設定して、セキュリティレベルの高いホームページにアクセスする時は充分に余裕のあるローバッテリ電圧に設定している。このため、セキュリティレベルの高いホームページにアクセスしているときほど、ユーザに対して早めにローバッテリ警告を行うことができる。従って、アクセス中に電源がオフしてしまう等の事故を防ぐ事ができる。
【００４４】
また、緊急度の高いローバッテリ警告をセキュリティレベルに応じて出すことにより、ユーザに電源バッテリの交換等を早めにさせることによって、アクセス中に電源がオフしてしまう等の事故を防ぐことができる。
【００４５】
図４は、通信手段と消費電流量の関係を表した図である。
【００４６】
図４において、通信手段と消費電流量の関係がテーブル形式で示されており、左欄には通信手段の種類が、右欄には各通信手段における具体的な消費電流量が示されている。通信手段としては、無線ＬＡＮカード、ＰＨＳカード、及び有線ＬＡＮカードが示されている。
【００４７】
通信可能時間算出手段７は、図４のテーブルを有し、このテーブルに基づいて現在のバッテリ残量で各通信手段（通信モード）においてどの程度通信可能かを計算する。具体的には、電源バッテリの容量が1000mAhのであった場合、現在まで無線ＬＡＮカードによって３時間通信したときは、現時点でのバッテリ残量は、1000mAh−200mA×３ｈ（時間）＝400mAｈと算出される。また、この時点において、通信手段を無線ＬＡＮカードからＰＨＳカードに変更した場合、残りの通信可能時間は、携帯通信装置が使用不可になる強制オフ電圧レベルがバッテリの全容量の１０パーセントとすれば、（400mAh―1000mA×0.1）÷150mA＝２ｈ（時間）と算出され、この場合、約２時間程度がＰＨＳカードによって通信可能な時間である。
【００４８】
図５は、各通信環境下における通信可能時間の一例を表した図である。
【００４９】
図５においては、現時点（例えば１２時）でのバッテリ電圧、ローバッテリ電圧（強制オフ電圧）、及びローバッテリ電圧に基づく通信不可になるまでの時間、つまり現時点からバッテリ電圧が強制オフ電圧になるまでの時間が、通信環境毎に示されている。また、図５において、横軸は時刻を示し、縦軸は電圧を示している。
【００５０】
バッテリ電圧曲線５１は、通信手段としてＰＨＳカードを使用して通常レベルのホームページにアクセスしている場合におけるバッテリ電圧と時刻との関係を示している。バッテリ電圧曲線５１において、電圧Ｖｃ１は現時点でのバッテリ電圧であり、電圧Ｖｅ１は強制オフ電圧である。また、時間Ｔｅ１は、バッテリ電圧が現時点の電圧Ｖｃ１から強制オフ電圧Ｖｅ１になるまでの時間である。即ち、時間Ｔｅ１は、上記通信環境における現時点からの携帯通信装置の通信可能時間を示す。
【００５１】
同様に、バッテリ電圧曲線５２は、通信手段として有線ＬＡＮカードを使用してセキュリティレベル中のホームページにアクセスしている場合におけるバッテリ電圧と時刻との関係を示している。バッテリ電圧曲線５２において、電圧Ｖｃ２は現時点でのバッテリ電圧であり、電圧Ｖｅ２は強制オフ電圧である。また、時間Ｔｅ２は、バッテリ電圧が現時点の電圧Ｖｃ２から強制オフ電圧Ｖｅ２になるまでの時間である。即ち、時間Ｔｅ２は、上記通信環境における現時点からの携帯通信装置の通信可能時間を示す。
【００５２】
また同様に、バッテリ電圧曲線５３は、通信手段として無線ＬＡＮカードを使用してセキュリティレベル大のホームページにアクセスしている場合におけるバッテリ電圧と時刻との関係を示している。バッテリ電圧曲線５３において、電圧Ｖｃ３は現時点でのバッテリ電圧であり、電圧Ｖｅ３は強制オフ電圧である。また、時間Ｔｅ３は、バッテリ電圧が現時点の電圧Ｖｃ３から強制オフ電圧Ｖｅ３になるまでの時間である。即ち、時間Ｔｅ３は、上記通信環境における現時点からの携帯通信装置の通信可能時間を示す。
【００５３】
このように、本実施の形態に係るバッテリ残量警告表示装置１０においては、通信環境毎に異なるローバッテリ電圧（強制オフ電圧）が設定されており、この設定されたローバッテリ電圧の違いにより、各通信環境化における携帯通信装置の通信可能時間が異なる。
【００５４】
図６は、インターネットに接続してセキュリティのかかったホームページにアクセスする際の携帯通信装置の動作フローを示す概念図である。
【００５５】
図６に示すように、クライアントからＷＥＢサーバにアクセスがあると、ＷＥＢサーバは携帯通信装置側、つまりクライアント側のブラウザにサーバＩＤ（署名付き公開鍵証明書）を送信する（ステップ６０１）。ブラウザは、サーバＩＤを受信すると、ブラウザにインストールされているルート証明書を使ってサーバＩＤを確認してサーバ認証を行う（ステップＳ６０２）。
【００５６】
次いで、クライアントは、通信データの暗号化に使用可能な暗号の種類をサーバに通知し、両者が使える最もセキュリティレベルの高い共通鍵暗号を選択する（ステップＳ６０３）。クライアントは、選択した共通鍵暗号用の共通鍵を生成し（ステップＳ６０４）、サーバの有する公開鍵で暗号化してサーバに送信する（ステップＳ６０５）。
【００５７】
サーバは、暗号化された共通鍵を受信すると、サーバの有する秘密鍵でこれを復号化して共通鍵を取り出す（ステップＳ６０６）。クライアントはクライアント証明書や他の検証情報をサーバに送信し（ステップＳ６０７）、サーバはクライアント証明書や検証情報を受信してクライアントの認証を行う（ステップＳ６０８）。サーバにおいてクライアントの認証ができた場合、上記共通鍵を用いて携帯通信装置とサーバ間における暗号化データ通信を開始する（ステップＳ６０９）。
【００５８】
上述のようにセキュリティページへのアクセス処理を実行することにより、共通鍵のＢＩＴ長を選択して通信のセキュリティレベルを設定することができる。尚、図６においては、携帯通信装置側では共通鍵として４０bit又は１２８bitのＢＩＴ長の鍵が選択可能になっている。このため、サーバ側が１２８bitの共通鍵が使用不可能であれば４０bitの鍵を共通鍵として選択することにより、通信のセキュリティレベルをセキュリティレベル中に設定することができ、またサーバ側が１２８bitの共通鍵が使用可能であれば１２８bitの鍵を共通鍵として選択することにより、セキュリティレベルをセキュリティレベル大に設定することができる。
【００５９】
図７は、ローバッテリ警告表示手段５が表示画面に表示するローバッテリ警告表示の一例を示す図である。
【００６０】
バッテリ残量警告表示装置１０において、バッテリ残量判断手段４によって、検出したバッテリ電圧（バッテリ残量）が設定されているローバッテリ電圧より低くなった場合、ローバッテリ警告表示手段５は、図７に示すように、携帯通信装置７１の表示画面７２にローバッテリ警告７３を表示する。
【００６１】
ローバッテリ警告７３は、セキュリティのかかったホームページにアクセスしているセキュリティモードにおいて、バッテリ電圧がローバッテリ電圧より低くなり、バッテリ残量が残り少なくなったことをユーザに警告するための表示である。ローバッテリ警告７３には、バッテリ残量が少なくなった旨を報知するための文字表示７４と、バッテリ残量を表わすバッテリ残量表示７５と、セキュリティモードでの警告表示であることを示すセキュリティマーク７６とから構成されている。このように、ローバッテリ警告７３は、セキュリティページへのアクセス中のローバッテリ警告であることがユーザにひと目で分かるように構成されている。
【００６２】
図８は、通信可能時間表示手段８がローバッテリ警告表示において表示する通信可能時間の一例を示す図である。
【００６３】
上述のように通信可能時間算出手段７によって算出されたローバッテリ警告が表示された時点での通信可能時間は、図８に示すように、通信可能時間表示手段８によってローバッテリ警告表示８１において通信可能時間表示８２として表示される。
【００６４】
このように、通信可能時間表示手段８が通信可能時間を表示する場合は、ローバッテリ警告表示手段５によって表示されるローバッテリ警告において文字表示が通信可能時間表示に変更される（図７，８参照）。
【００６５】
図９は、携帯通信端末におけるローバッテリ電圧設定処理のフローチャートである。
【００６６】
本処理は、通信が開始されると開始され、図９に示すように、まず、セキュリティレベル判別手段１がセキュリティのかかったホームページであるセキュリティページへのアクセスか否かを判別する（ステップＳ９０１）。
【００６７】
セキュリティページへのアクセスでない場合は、通常レベルのホームページへのアクセスであるので、ローバッテリ電圧設定手段３は、使用している通信手段に対応するローバッテリ電圧の内、通常レベルに対応するローバッテリ電圧値を図２のローバッテリ設定テーブルから検索してこれをローバッテリ電圧として設定し（ステップＳ９０２）、本処理を終了する。この場合、携帯通信装置においては、通常レベルのローバッテリ電圧設定値による通信が行われる。
【００６８】
一方、セキュリティページへのアクセスである場合は、携帯通信装置は、アクセス先のＷＥＢサーバからサーバＩＤ（署名付き公開鍵証明書）を受信し（ステップＳ９０３）、ブラウザにインストールされているルート証明書を使って、サーバＩＤを確認してサーバ認証を行う（ステップＳ９０４）。
【００６９】
次いで、携帯通信装置は通信データの暗号化に使用可能な暗号の種類をサーバに通知し（ステップＳ９０５）、またサーバの使用可能な暗号の種類の情報を受信し、携帯通信装置及びサーバの両者が使用できるセキュリティレベルの最も高い共通鍵暗号を選択する（ステップＳ９０６）。次いで、携帯通信装置は暗号化用の共通鍵を生成し、サーバの備える公開鍵でこの生成した共通鍵を暗号化して、これをサーバに送信する（Ｓ９０７）。
【００７０】
ここで、サーバは、暗号化された共通鍵を受信すると、サーバが備える秘密鍵で復号化して共通鍵を取り出す。そして、携帯通信装置からクライアント証明書がサーバ送付されると、サーバは携帯通信装置の認証を行い、認証ができたら上記共通鍵を用いて携帯通信端末と暗号化データ通信を開始する。
【００７１】
ステップＳ９０７において、携帯通信装置が暗号化された共通鍵をサーバに送信した後、セキュリティレベル判別手段１は、生成した共通鍵の鍵長を検出する（Ｓ９０８）。次いで、セキュリティレベル判別手段１は、ステップＳ９０８において検出した共通鍵の鍵長に基づいてアクセスページのセキュリティレベルを判別する（ステップＳ９０９）。ステップＳ９０９におけるセキュリティレベルを判別は、ステップＳ９０８において検出した共通鍵の鍵長が４０bitであるか１２８bitであるかを判別することによって行う。
【００７２】
ステップＳ９０９において、検出した共通鍵の鍵長が４０bitであれば、アクセスページのセキュリティレベルはセキュリティレベル中であると判別され、ローバッテリ電圧設定手段３は、使用している通信手段に対応するローバッテリ電圧の内、セキュリティレベル中に対応するローバッテリ電圧値を図２のローバッテリ設定テーブルから検索してこれをローバッテリ電圧として設定し（ステップＳ９１０）、本処理を終了する。この場合、携帯通信装置においては、セキュリティレベル中のローバッテリ電圧設定値によりセキュリティモードでの通信が行われる。
【００７３】
一方、ステップＳ９０９において、検出した共通鍵の鍵長が１２８bitであれば、アクセスページのセキュリティレベルはセキュリティレベル大であると判別され、ローバッテリ電圧設定手段３は、使用している通信手段に対応するローバッテリ電圧の内、セキュリティレベル大に対応するローバッテリ電圧値を図２のローバッテリ設定テーブルから検索してこれをローバッテリ電圧として設定し（ステップＳ９１１）、本処理を終了する。この場合、携帯通信装置においては、セキュリティレベル大のローバッテリ電圧設定値によりセキュリティモードでの通信が行われる。
【００７４】
上述のように、本発明の第１の実施の形態に係る携帯通信装置のバッテリ残量警告表示装置１０によれば、セキュリティレベル判別手段１がアクセスページのセキュリティレベルを判別し、バッテリ電圧検出手段２が携帯通信装置のバッテリ電圧を検出する。また、ローバッテリ電圧設定手段３が、判別されたアクセスページのセキュリティレベルと使用している通信手段とから、予め設定されているローバッテリ電圧設定テーブルに基づいてローバッテリ電圧を設定する。次いで、バッテリ残量判断手段４が、この設定されたローバッテリ電圧とバッテリ電圧とを比較してバッテリ残量状態を判断する。そして、バッテリ残量がローバッテリ電圧より低いローバッテリ状態であると判断された場合、ローバッテリ警告表示手段５が、ローバッテリ状態である旨を警告するローバッテリ警告を携帯通信装置の表示装置に表示する。
【００７５】
このように、バッテリ残量警告表示装置１０は、アクセスページのセキュリティレベルに応じてローバッテリ電圧を設定し、このローバッテリ電圧とバッテリ残量に応じてローバッテリ警告を表示する。
【００７６】
このため、バッテリ残量警告表示装置１０は、携帯通信装置がセキュリティのかかったホームページにアクセスする場合において、このホームページにおける処理を行うための充分な電圧を残した状態でローバッテリ警告表示を行うことができ、通信途中で装置の電源がオフされる等の事故の発生を防止することができる。
【００７７】
従って、バッテリ残量警告表示装置１０は、ユーザがセキュリティのかかったホームページにおいて安全に処理を行うことを可能にすることができる。
【００７８】
また、バッテリ残量警告表示装置１０によれば、通信手段判別手段６が携帯通信装置の通信手段を判別し、通信可能時間算出手段７が、この通信手段の判別結果に基づいて、通信手段と消費電流量の関係を示すテーブルから、携帯通信装置の通信時に消費する消費電流量を算出する。次いで、通信可能時間算出手段７が、この算出した消費電流量と、設定されたローバッテリ電圧と、検出されたバッテリ電圧から、バッテリ電圧が上記ローバッテリ電圧になるまでの携帯通信装置の通信可能時間を算出する。そして、通信可能時間表示手段８が、この算出された通信可能時間をローバッテリ警告表示に表示する。
【００７９】
このため、バッテリ残量警告表示装置１０によれば、ユーザは、携帯通信装置の通信手段に応じて、ローバッテリ電圧になるまでの携帯通信装置の通信可能時間を知ることができ、より正確なバッテリ残量状況を知ることができる。
【００８０】
従って、バッテリ残量警告表示装置１０は、ユーザがセキュリティのかかったホームページにおいてより安全に処理を行うことを可能にすることができる。
【００８１】
次いで、本発明の第２の実施の形態について説明する。
【００８２】
図１０は、本発明の第２の実施の形態に係る携帯通信装置のバッテリ残量警告表示装置の概略構成を示すブロック図である。
【００８３】
図１０に示すように、本実施の形態に係るバッテリ残量警告表示装置１００は、上記第１の実施の形態に係るバッテリ残量警告表示装置１０に対して、バックライト調整手段１０１、及びバックライト１０２を追加した点のみが異なる。以下、上記第１の実施の形態と同じ構成部材には同一の符号を付して重複した説明を省略し、異なる部分のみ説明する。
【００８４】
バックライト調整手段１０１は、携帯通信装置の表示画面のバックライト１０２の輝度を調整可能に構成されている。
【００８５】
上記構成を有するバッテリ残量警告表示装置１００において、セキュリティレベル判別手段１が、アクセスページがセキュリティのかかったホームページへであると判断した場合、バックライト調整手段１０１は、バックライト１０２の輝度を調整し、例えば、バックライト１０２を消灯して、第三者が覗き見し難いように携帯通信装置の表示装置の画面状態を調整する。
【００８６】
本実施の形態において、表示装置は半透過型の液晶表示器であり、バックライト１０２をオフ状態にしても外部光によりユーザは画面を見ることが可能でありが、第三者、例えば横にいる他人からは画面が見づらくなる。半透過型の液晶表示器としては公知ものを使用可能であり、詳細な説明は省略する。
【００８７】
上述のように、本発明の第２の実施の形態に係るバッテリ残量警告表示装置１００によれば、セキュリティページにアクセス中は、バックライト調整手段１０１が表示装置のバックライト１０２の輝度を調整する。
【００８８】
このため、セキュリティページにアクセス中は表示装置のバックライト１０２の輝度を調整して、表示画面を第三者から見づらくなるようにすることができる。従って、ユーザがセキュリティのかかったホームページにおいてさらに安全に処理を行うことができる。
【００８９】
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【００９０】
この場合、記憶媒体から読み出されたプログラムコード自体が前述した各実施の形態の機能を実現することになり、そのプログラムコード及び該プログラムコードを記憶した記憶媒体は本発明を構成することになる。
【００９１】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００９２】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００９３】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【図面の簡単な説明】
【００９４】
【図１】本発明の第１の実施の形態に係る携帯通信装置のバッテリ残量警告表示装置の概略構成を示すブロック図である。
【図２】図１におけるローバッテリ電圧設定手段の備えるローバッテリ設定テーブルの一例を示す図である。
【図３】携帯通信装置においてインターネット通信時にバッテリ電圧が減っていく様子を表したバッテリ電圧の放電曲線を示す図である。
【図４】通信手段と消費電流の関係を表した図である。
【図５】各通信環境下における通信可能時間の一例を表した図である。
【図６】インターネットに接続してセキュリティのかかったホームページにアクセスする際の携帯通信装置の動作フローを示す概念図である。
【図７】図１におけるローバッテリ警告表示手段が表示画面に表示するローバッテリ警告表示の一例を示す図である。
【図８】図１における通信可能時間表示手段がローバッテリ警告表示において表示する通信可能時間の一例を示す図である。
【図９】携帯通信端末におけるローバッテリ電圧設定処理のフローチャートである。
【図１０】本発明の第２の実施の形態に係る携帯通信装置のバッテリ残量警告表示装置の概略構成を示すブロック図である。
【符号の説明】
【００９５】
１  セキュリティレベル判別手段
２  バッテリ電圧検出手段
３  ローバッテリ電圧設定手段
４  バッテリ残量判断手段
５  ローバッテリ警告表示手段
６  通信手段判別手段
７  通信可能時間算出手段
８  通信可能時間表示手段
１０，１００  バッテリ残量警告表示装置
７１  携帯通信装置
７２  表示画面
１０１  バックライト調整手段
１０２  バックライト
【図１】
2007011863.tif 000003
【図２】
2007011863.tif 000004
【図３】
2007011863.tif 000005
【図４】
2007011863.tif 000006
【図５】
2007011863.tif 000007
【図６】
2007011863.tif 000008
【図７】
2007011863.tif 000009
【図８】
2007011863.tif 000010
【図９】
2007011863.tif 000011
【図１０】
2007011863.tif 000012